(57)【特許請求の範囲】
【請求項１】
基板間に放電セルがマトリクス状に配置された一対の基板からなり、一方の基板には放電セルを点灯するための主放電を発生させる複数の第１と第２の主電極が互いに平行に配列されてその上に保護膜が形成され、かつ他方の基板には点灯すべき放電セルを選択するためのアドレス放電を発生させる複数のアドレス電極が前記第１と第２の主電極と交差する方向に平行に配列され、１つの放電セル内に前記第１と第２の主電極及び前記アドレス電極が形成される構造のプラズマディスプレイパネルを駆動するに際し、
点灯すべき放電セルの選択時に、前記複数の第１の主電極に走査電圧を順次印加してアドレス電極と第１の主電極との間にアドレス放電を生じさせる第１のアドレス動作と、前記複数の第２の主電極に走査電圧を順次印加してアドレス電極と第２の主電極との間にアドレス放電を生じさせる第２のアドレス動作とを、所定期間毎に交互に行い、前記第１のアドレス動作における前記第１の主電極の走査方向と前記第２のアドレス走査における前記第２の主電極の走査方向とを異ならせることを特徴とするプラズマディスプレイパネルの駆動方法。
【請求項２】
基板間に放電セルがマトリクス状に配置された一対の基板からなり、一方の基板には放電セルを点灯するための主放電を発生させる複数の第１と第２の主電極が互いに平行に配列されてその上に保護膜が形成され、かつ他方の基板には点灯すべき放電セルを選択するためのアドレス放電を発生させる複数のアドレス電極が前記第１と第２の主電極と交差する方向に平行に配列され、１つの放電セル内に前記第１と第２の主電極及び前記アドレス電極が形成される構造のプラズマディスプレイパネルを駆動する駆動装置であって、
点灯すべき放電セルの選択時に、前記複数の第１の主電極に走査電圧を順次印加してアドレス電極と第１の主電極との間にアドレス放電を発生させる第１アドレス放電発生部と、
点灯すべき放電セルの選択時に、前記複数の第２の主電極に走査電圧を順次印加してアドレス電極と第２の主電極との間にアドレス放電を発生させる第２アドレス放電発生部と、
第１アドレス放電発生部によるアドレス放電と、第２アドレス放電発生部によるアドレス放電とを、所定期間毎に交互に切替え、前記複数の第１の主電極の走査方向と前記第２の主電極の走査方向とを異ならせるように前記第１アドレス放電発生部と前記第２アドレス放電発生部を制御する制御部とを備えてなるプラズマディスプレイパネルの駆動装置。
【発明の詳細な説明】
【０００１】
【発明の属する技術分野】
この発明は、プラズマディスプレイパネル（ＰＤＰ）に関し、さらに詳しくは、マトリクス状に配置された各放電セル内に一対の主電極をそれぞれ配置し、その主電極を保護膜で覆ったＰＤＰに関する。
【０００２】
【従来の技術】
ＰＤＰは視認性に優れ、高速表示が可能であり、しかも比較的大画面化の容易な薄型表示デバイスである。マトリクス表示方式の、なかでも面放電型のＰＤＰは、駆動電圧の印加に際して対となる表示電極を同一の基板上に配列したＰＤＰであり、蛍光体によるカラー表示に適している。
【０００３】
従来、例えばＡＣ駆動方式の３電極面放電型のカラーＰＤＰは、以下のような構成となっている。
【０００４】
図７は従来のプラズマ表示装置の構成図である。
プラズマ表示装置１００は、マトリクス形式のカラー表示デバイスであるＡＣ駆動方式の３電極面放電型のＰＤＰ２０と、画面（スクリーン）ＳＣを構成するマトリクス状に並んだセルＣを選択的に点灯させるための駆動ユニット８０とから構成されており、壁掛け式テレビジョン受像機、コンピュータシステムのモニターなどとして利用される。
【０００５】
ＰＤＰ２０は、対をなす第１及び第２の面放電（表示用の主放電であるため表示放電と呼ばれたり、点灯維持放電であるためサスティン放電と呼ばれたりする。以下サスティン放電という）発生用の主電極（表示放電用の電極であるため表示電極と呼ばれたり、サスティン放電用の電極であるためサスティン電極と呼ばれたりする。以下サスティン電極という）Ｘ，Ｙが平行配置され、各セルＣにおいてサスティン電極Ｘ，Ｙと第３の電極としてのアドレス電極Ａとが交差する３電極面放電構造のＰＤＰである。サスティン電極Ｘ，Ｙは画面の行方向（水平方向）に延び、一方のサスティン電極Ｙはアドレッシングに際して行単位にセルＣを選択するためのスキャン（走査）電極として用いられる。アドレス電極Ａは列方向（垂直方向）に延びており、列単位にセルＣを選択するためのデータ電極として用いられる。サスティン電極群とアドレス電極群とが交差する領域が表示領域、すなわち画面ＳＣである。
【０００６】
駆動ユニット８０は、コントローラ８１、フレームメモリ８２、データ処理回路８３、サブフィールドメモリ８４、電源回路８５、Ｘドライバ８７、Ｙドライバ８８、及びアドレスドライバ８９を有している。駆動ユニット８０には、ＴＶチューナ、コンピュータなどの外部装置からＧ（緑）、Ｂ（青）、Ｒ（赤）の各色の輝度レベル（階調レベル）を示す画素単位のフレーム（フィールドと表現することもある）データＤｆが各種の同期信号とともに入力される。
【０００７】
フィールドデータＤｆは、フレームメモリ８２に一旦格納された後、データ処理回路８３へ送られる。データ処理回路８３は、階調表示を行うために１フィールドを所定数のサブフィールドに分割し、その内の点灯させるサブフィールドの組合せを設定するデータ変換手段であり、フィールドデータＤｆに応じたサブフィールドデータＤｓｆを出力する。サブフィールドデータＤｓｆはサブフィールドメモリ８４に格納される。サブフィールドデータＤｓｆの各ビットの値は、サブフィールドにおけるセルの点灯の要否を示す情報、厳密にはアドレス放電の要否を示す情報である。
【０００８】
Ｘドライバ８７はサスティン電極Ｘに駆動電圧を印加し、Ｙドライバ８８はサスティン電極Ｙに駆動電圧を印加する。アドレスドライバ８９は、サブフィールドデータＤｓｆに応じてアドレス電極Ａに駆動電圧を印加する。これらドライバには電源回路８５から所定の電力が供給される。
【０００９】
画面ＳＣの表示に際しては、まず、サスティン電極Ｙが走査電極として用いられて、点灯すべきセルＣの選択（アドレス）が行われる。この時には、サスティン電極Ｙに順次電圧が印加されるとともに、点灯すべきセルＣに対応するアドレス電極Ａに電圧が印加され、アドレス電極Ａとサスティン電極Ｙ間でアドレス放電が発生される。
【００１０】
次に、アドレス放電の際の残留電荷が利用されて、選択されたセルＣのサスティン電極Ｘとサスティン電極Ｙ間で所望の輝度と色合いに対応する回数だけサスティン放電が継続される。
【００１１】
サスティン電極Ｘ，Ｙ上には誘電体層が形成されているが、この放電による劣化を防止するため、通常、サスティン電極Ｘ，Ｙ上の誘電体層にはＭｇＯからなる保護膜が形成されている。
【００１２】
このように、従来のＡＣ型ＰＤＰの駆動では、サスティン電極Ｘ，Ｙの内の一方のサスティン電極Ｙとアドレス電極Ａとでアドレス放電を発生させ、その後、サスティン電極Ｘ，Ｙ間でサスティン放電を輝度と色合いに応じた回数だけ継続することにより、画面を表示するようにしていた。
【００１３】
すなわち、アドレス放電で用いられるサスティン電極は、常時Ｙ電極であり、その電位はアドレス電極Ａより低く、このため、アドレス放電の際には、サスティン電極Ｙ上の保護膜に多くのイオン衝撃が与えられていた。
【００１４】
【発明が解決しようとする課題】
このアドレス放電の際のサスティン電極Ｙ上の保護膜に対するイオン衝撃は、かなり大きく、長時間駆動した後のサスティン電極Ｘ，Ｙの各電極上の保護膜の劣化は、Ｙ電極上の方が著しいことがわかっている。そして、サスティン電極Ｙ上の保護膜の劣化が進むと、アドレス放電の電圧が上昇し、パネル寿命を縮める原因となっていた。
【００１５】
この発明は、このような事情を考慮してなされたもので、ＡＣ駆動方式の３電極面放電型のＰＤＰにおいて、アドレス時のイオン衝撃によるサスティン電極Ｙ上の保護膜の劣化を防止し、これによりパネルの長寿命化を図るようにしたプラズマディスプレイパネルの駆動方法及び装置を提供するものである。
【００１６】
【課題を解決するための手段】
この発明は、基板間に放電セルがマトリクス状に配置された一対の基板からなり、一方の基板には放電セルを点灯するための主放電を発生させる第１と第２の主電極が交互に平行に配列されてその上に保護膜が形成され、かつ他方の基板には点灯すべき放電セルを選択するためのアドレス放電を発生させるアドレス電極が主電極と交差する方向に平行に配列された構造のプラズマディスプレイパネルを駆動するに際し、点灯すべき放電セルの選択時に、アドレス電極と第１の主電極との間のアドレス放電と、アドレス電極と第２の主電極との間のアドレス放電とを、所定期間毎に交互に発生させることを特徴とするプラズマディスプレイパネルの駆動方法である。
【００１７】
すなわち、この発明においては、アドレス放電を、アドレス電極と第１の主電極間のみでなく、アドレス電極と第２の主電極間でも行うことで、第１と第２の電極上の保護膜の劣化を分散し、パネルの長寿命化を図る。
【００１８】
【発明の実施の形態】
この発明の駆動方法を適用可能なＰＤＰとしては、当該分野で通常用いられている公知のＡＣ駆動方式の３電極面放電型のＰＤＰをいずれも適用することができる。
【００１９】
この発明において、点灯すべき放電セルの選択時とは、第１と第２の主電極の内の一方の主電極を走査電極として用いて順次電圧を印加してゆき、この間に点灯しようとする放電セルに対応するアドレス電極に電圧を印加して、アドレス放電を発生させる時を意味する。
【００２０】
この発明において、アドレス放電を所定期間毎に交互に発生させるとは、第１の主電極上の保護膜と第２の主電極上の保護膜とがほぼ均等に劣化するように、第１の主電極と第２の主電極とを交互に用いてアドレス放電を発生させることを意味する。所定期間毎とは、この意味で一定の期間毎であればよい。例えば１回のアドレス毎でもよいし、何回かのアドレス毎でもよい。また、時間的に制限を加えて、１０分毎、１時間毎、１日毎、１月毎、１年毎等のいずれを採用してもよい。時間的に制限を加える場合には、内蔵のＣＰＵのクロックを利用してもよいし、外部時計を付加してもよい。
【００２１】
別の観点によれば、この発明は、基板間に放電セルがマトリクス状に配置された一対の基板からなり、一方の基板には放電セルを点灯するための主放電を発生させる第１と第２の主電極が交互に平行に配列されてその上に保護膜が形成され、かつ他方の基板には点灯すべき放電セルを選択するためのアドレス放電を発生させるアドレス電極が主電極と交差する方向に平行に配列された構造のプラズマディスプレイパネルを駆動する駆動装置であって、点灯すべき放電セルの選択時に、アドレス電極と第１の主電極との間にアドレス放電を発生させる第１アドレス放電発生部と、点灯すべき放電セルの選択時に、アドレス電極と第２の主電極との間にアドレス放電を発生させる第２アドレス放電発生部と、第１アドレス放電発生部によるアドレス放電と、第２アドレス放電発生部によるアドレス放電とを、所定期間毎に交互に切替える制御部とを備えてなるプラズマディスプレイパネルの駆動装置である。
【００２２】
以下、図面に示す実施例に基づいてこの発明を詳述する。なお、これによってこの発明が限定されるものではない。
【００２３】
図１はこの発明の駆動方法を適用するＰＤＰの構成を示す斜視図である。
図において、１０はＡＣ駆動方式の３電極面放電型のＰＤＰである。ＰＤＰ１０は、ガラスからなる前面側の基板１１と背面側の基板２１とから構成されている。
【００２４】
前面側の基板１１の内側面上には、表示ラインＬ毎に面放電発生用のサスティン電極Ｘ，Ｙが水平方向にほぼ平行に配置され、その上に誘電体層１７、及びＭｇＯからなる保護膜１８が形成されている。サスティン電極Ｘ，Ｙは、前面側の基板に設けられるため、ＩＴＯからなる透明電極１２とＣｒ／Ｃｕ／Ｃｒからなる金属電極（バス電極）１３とで形成されている。
【００２５】
背面側の基板２１の内側面上には、下地層２２、アドレス放電発生用の複数のアドレス（データ）電極Ａ、及び誘電体層２４が順次形成され、その上にアドレス電極Ａを挟むように放電を物理的に区分するためのストライプ状の多数の隔壁（リブ）２９が垂直方向（サスティン電極と交差する方向）にほぼ平行に設けられており、隔壁間の細長い溝内には蛍光体層２８Ｒ，２８Ｇ，２８Ｂが形成されている。３色の配置パターンは、１列のセルの発光色が同一でかつ隣接する列どうしの発光色が異なるストライプパターンである。
【００２６】
放電空間３０には主成分のネオンにキセノンを混合した放電ガスが充填されており（封入圧力は約５００Ｔｏｒｒ）、蛍光体層２８Ｒ，２８Ｇ，２８Ｂは放電時にキセノンが放つ紫外線によって局部的に励起されて発光する。
【００２７】
図２はこの発明の駆動方法に使用する駆動ユニットの構成を示す回路ブロック図である。この図において、１はサスティン電極Ｙに走査用の電圧を順次印加するＹ側の走査用ドライバ、２はサスティン放電時にサスティン電圧を全てのサスティン電極Ｙに同時に印加するためのＹ側の共通ドライバ、３はサスティン電極Ｘに走査用の電圧を順次印加するＸ側の走査用ドライバ、４はサスティン放電時にサスティン電圧を全てのサスティン電極Ｘに同時に印加するためのＸ側の共通ドライバ、５はアドレス電極Ａにアドレス用の電圧を印加するＡ側ドライバ、６はＹ側の共通ドライバ２、Ｘ側の共通ドライバ４及びＡ側ドライバ５を制御する制御回路である。
【００２８】
本駆動方法においては、Ａ側ドライバ５の電圧印加については、図７で示したアドレスドライバ８９の電圧印加と同じである。
【００２９】
図７で示した駆動ユニット８０と異なる点は、図７の駆動ユニットでは、点灯すべき放電セルの選択時のアドレス放電を、アドレス電極Ａとサスティン電極Ｙ間のみで発生させていたが、本駆動方法においては、一定期間毎にサスティン電極を入れ換える。
【００３０】
すなわち、ある一定の期間については、アドレス電極Ａ−サスティン電極Ｙ間でアドレス放電を発生させ、サスティン電極Ｘ，Ｙ間でサスティン放電を発生させて点灯維持が行われるように駆動する。
【００３１】
そして、次の一定の期間については、アドレス電極Ａ−サスティン電極Ｘ間でアドレス放電を発生させ、サスティン電極Ｘ，Ｙ間でサスティン放電を発生させて点灯維持が行われるように駆動する。
【００３２】
図３は階調駆動法の概要を示す説明図である。
サスティン放電の放電回数による階調表示（カラー再現）は、図７で示したＰＤＰ２０と同じである。
【００３３】
すなわち、１フレームの期間Ｔｆを、例えば８つのサブフレームＳＦに分け、これらのサブフレームＳＦの輝度の相対比が１：２：４：８：１６：３２：６４：１２８となるように重み付けをして、各サブフレームＳＦのサスティン放電の回数を設定する。これにより、ＲＧＢの各色毎に２５６段階の輝度設定を行って、２５６3種類の色の表示を行う。このように、１フレームの期間Ｔｆ中に発光時間を制御したサブフレームＳＦを複数挿入することにより階調を得る。
【００３４】
そして、各サブフレームの期間Ｔｓｆ（ｊ）を、全てのセルの電荷を“０”にするリセット期間Ｔｒと、アドレス放電を発生させて点灯セルを選択するアドレス走査期間Ｔａ−ｓｆと、サスティン放電を発生させて点灯維持を行う発光期間（サスティン期間）Ｔｓ−ｓｆ（ｊ）で構成する。
【００３５】
なお、上記においては、リセット期間Ｔｒでは全てのセルの電荷を“０”にすると説明したが、これはアドレス走査期間Ｔａ−ｓｆにおいて点灯すべきセルにだけ電荷を形成する、いわゆる書き込みアドレス方式のＰＤＰを駆動する場合であって、アドレス走査期間Ｔａ−ｓｆにおいて点灯しないセルの電荷を消去する、いわゆる消去アドレス方式のＰＤＰを駆動する場合には、リセット期間Ｔｒでは全てのセルに均一に電荷を形成する。
【００３６】
図４はこの発明による駆動方法の駆動波形を示す説明図である。
この図に示すように、本駆動法においては、以下のようにしてＰＤＰを駆動する。すなわち、ある一定の期間は（ａ）で示すような駆動を行い、次の一定の期間は（ｂ）で示すような駆動を行う。
【００３７】
まず、（ａ）で示すように、リセット期間では、全てのサスティン電極Ｘとサスティン電極Ｙとの間で放電を発生させて、全てのセルの壁電荷を“０”にする。この間、サスティン電極Ｘとアドレス電極Ａとの間で放電が発生しないように、アドレス電極Ａに一定の電圧を印加しておく。
【００３８】
次に、アドレス走査期間では、サスティン電極Ｙを走査電極として用いて、サスティン電極Ｙ１，Ｙ２，……，Ｙｎというように、サスティン電極Ｙに順次走査電圧（選択パルス）を印加してゆき、その間に所望のアドレス電極Ａに電圧（アドレスパルス）を印加して、アドレス電極Ａとサスティン電極Ｙとの間にアドレス放電を発生させることにより、点灯すべき放電セルを選択する。この間、アドレス電極Ａとサスティン電極Ｘとの間に放電が発生しないように、サスティン電極Ｘに一定の電圧を印加しておく。
【００３９】
次に、サスティン期間では、アドレスの際に形成した残留壁電荷を利用して、サスティン電極Ｙ，Ｘ間で輝度と色合いに応じた回数だけサスティン放電を発生させる（放電セルを点灯する）。つまり、ＲＧＢの３つの放電セルで１画素を構成しており、ＲＧＢの内の何色の放電セルを何回点灯させるかによって所望の色合いを再現することができるので、その再現に必要な回数だけサスティン放電を発生させる。
【００４０】
このような駆動による画面表示を一定期間行った後、次に、（ｂ）で示すように、リセット期間では、全てのサスティン電極Ｙとサスティン電極Ｘとの間で放電を発生させて、全てのセルの壁電荷を“０”にする。この間、サスティン電極Ｙとアドレス電極Ａとの間で放電が発生しないように、アドレス電極Ａに一定の電圧を印加しておく。
【００４１】
次に、アドレス走査期間では、サスティン電極Ｘを走査電極として用いて、サスティン電極Ｘ１，Ｘ２，……，Ｘｎというように、サスティン電極Ｘに順次走査電圧（選択パルス）を印加してゆき、その間に所望のアドレス電極Ａに電圧（アドレスパルス）を印加して、アドレス電極Ａとサスティン電極Ｘとの間にアドレス放電を発生させることにより、点灯すべき放電セルを選択する。この間、アドレス電極Ａとサスティン電極Ｙとの間に放電が発生しないように、サスティン電極Ｙに一定の電圧を印加しておく。
【００４２】
次に、サスティン期間では、アドレス電極Ａ−サスティン電極Ｙ間でアドレス放電を発生させた時と同様に、アドレスの際に形成した残留壁電荷を利用して、サスティン電極Ｙ，Ｘ間で輝度と色合いに応じた回数だけサスティン放電を発生させる。この時、最初に印加する電圧の方向は、アドレス電極Ａ−サスティン電極Ｙ間でアドレス放電を発生させた時と同じであっても問題はない。すなわち、アドレス電極Ａ−サスティン電極Ｘ間でアドレス放電を発生させると、Ｘ電極上に壁電荷が形成される。このため、第１回目のサスティン放電は発生しないが、２回目以降のサスティン放電は発生するので、サスティン放電に関してなんら問題はない。
【００４３】
【実施例】
上記したこの発明の駆動方法を用いて、ＰＤＰ１０を駆動した場合の実施例について説明する。
【００４４】
〔パネル１の作製〕
ソーダライムガラスからなる前面側の基板１１上に、約０．３μｍの厚さのＩＴＯからなる透明電極１２を形成した。次に、透明電極１２上に、約３．０μｍの厚さのＣｒ／Ｃｕ／Ｃｒからなるバス電極１３をスパッタにより形成した。
【００４５】
次いで、バス電極１３および透明電極１２を覆うように、約５０μｍの厚さの誘電体層１７をスクリーン印刷法で形成した。さらに、誘電体層１７上に約６０００ÅのＭｇＯからなる保護膜１８を蒸着法で形成し、これにより前面側の基板１１を得た。
【００４６】
また、ソーダライムガラスからなる背面側の基板２１上に、下地層を形成した後、約２．０μｍの厚さのＣｒ／Ｃｕ／Ｃｒからなるアドレス電極Ａをスパッタにより形成した。次いで、アドレス電極Ａを覆うように、約２０μｍの厚さの誘電体層２４をスクリーン印刷法で形成した。その後、公知の方法で隔壁２９および蛍光体層２８Ｒ，２８Ｇ，２８Ｂを形成し、これにより背面側の基板２１を得た。
【００４７】
このようにして得られた前面側の基板１１と背面側の基板２１とを約２００μｍの間隔で貼り合わせて封止し、基板間の放電空間に放電ガスを封入することにより、ＡＣ駆動方式の３電極面放電型のＰＤＰを作製した。
サスティン電極は、画面の上方から、Ｙ，Ｘ，Ｙ，Ｘ，……，Ｙ，Ｘの偶数本とした。
【００４８】
〔パネル２の作製〕
サスティン電極の構造以外は、パネル１と同様に作製した。サスティン電極Ｘ，Ｙは、図５に示すような、いわゆるＡＬｉＳ方式の構造とした。すなわち、サスティン電極Ｘとサスティン電極Ｙとを等間隔に配置し、奇数フィールドと偶数フィールドで１画面を表示するような構造のＰＤＰを作製した。
サスティン電極は、画面の上方から、Ｘ，Ｙ，Ｘ，Ｙ，Ｘ，……，Ｙ，Ｘの奇数本とした。
【００４９】
〔実施例１〕
パネル１を用い、本発明の駆動シーケンスで長時間駆動を行った。すなわち、一定時間毎にアドレス時の放電電極を、サスティン電極Ｙからサスティン電極Ｘへ、サスティン電極Ｘからサスティン電極Ｙへ変更した。その割合は、５０％、５０％とした。
【００５０】
ここで、アドレス電極Ａ−サスティン電極Ｙからアドレス電極Ａ−サスティン電極Ｘでのアドレス選択に切り替えた時点で、ラインの走査方向を逆転させた。この理由は、アドレスによる壁電荷のチャージとサスティン放電時の走査方向に大きな相関があるためである。
【００５１】
そして、一定時間毎に、劣化の状態を調査する目的で、アドレス電極Ａ−サスティン電極Ｙ間の放電特性を測定した。
【００５２】
〔実施例２〕
パネル２を用い、本発明の駆動シーケンスで長時間駆動を行った。すなわち、一定時間毎にアドレス時の放電電極を、サスティン電極Ｙからサスティン電極Ｘへ、サスティン電極Ｘからサスティン電極Ｙへ変更した。その割合は、５０％、５０％とした。
【００５３】
ここで、アドレス電極Ａ−サスティン電極Ｙでのアドレス選択の時は、２ライン目のサスティン電極Ｙ1からアドレスを開始し、サスティン電極Ｙnとサスティン電極Ｘn間、及びサスティン電極Ｙnとサスティン電極Ｘn+1間でサスティン放電を発生させる。
【００５４】
アドレス電極Ａ−サスティン電極Ｘでのアドレス選択に切り替えた時は、１ライン目のサスティン電極Ｘ1からアドレスを開始し、サスティン電極Ｘnとサスティン電極Ｙn-1間、及びサスティン電極Ｘnとサスティン電極Ｙn間でサスティン放電を発生させる。ラインの走査方向は切り替え前と後で同一とした。
【００５５】
そして、一定時間毎に、劣化の状態を調査する目的で、アドレス電極Ａ−サスティン電極Ｙ間の放電特性を測定した。
【００５６】
〔実施例３〕
パネル１を用い、従来の駆動シーケンスで、長時間駆動を行った。ただし、アドレス放電は、アドレス電極Ａ−サスティン電極Ｙ間のみで行い、アドレス時のアドレス電極Ａとサスティン電極Ｙの電位を、図７で示したＰＤＰ２０の駆動方法とは逆転させた。すなわち、アドレス時のアドレス電極Ａとサスティン電極Ｙの電位に関しては、アドレス電極Ａの電位をサスティン電極Ｙの電位よりも低くした。
【００５７】
そして、一定時間毎に、劣化の状態を調査する目的で、アドレス電極Ａ−サスティン電極Ｙ間の放電特性を測定した。
【００５８】
〔比較例〕
パネル１を用い、図７で示したＰＤＰ２０の駆動シーケンスで、長時間駆動を行った。そして、実施例１〜３と同様に、一定時間毎に、劣化の状態を調査する目的で、アドレス電極Ａ−サスティン電極Ｙ間の放電特性を測定した。
【００５９】
図６は駆動時間とアドレス放電電圧との関係を示すグラフである。
このグラフに示すように、比較例では、アドレス放電電圧が５Ｖになるまでの時間が約１０００時間であったのに対し、実施例１ではアドレス放電電圧が５Ｖになるまでの時間が約２５００時間、実施例２では約２５００時間、実施例３では約３０００時間であった。
【００６０】
このように、サスティン電極Ｙ上の保護膜の劣化については、アドレス電極Ａ−サスティン電極Ｙ間の放電電圧について検査した結果、実施例１〜３の駆動方法を用いたほうが、従来例よりも明らかに劣化が少なく、これにより放電が安定して長寿命化を図ることが可能であることが証明された。
【００６１】
なお、上記実施例では、サスティン電極上に誘電体層と保護膜とを積層した構造を示したが、これに限らず、例えば保護膜を層状に厚く形成して誘電体層を兼ねるようにすることも可能である。
【００６２】
【発明の効果】
この発明によれば、点灯すべき放電セルの選択時に、アドレス電極と第１の主電極との間のアドレス放電と、アドレス電極と第２の主電極との間のアドレス放電とを、所定期間毎に交互に発生させるので、第１の主電極上の保護膜の劣化と第２の主電極上の保護膜の劣化とを同程度にすることができ、これによりＰＤＰの長寿命化を図ることができる。
【図面の簡単な説明】
【図１】この発明の駆動方法を適用するＰＤＰの構成を示す斜視図である。
【図２】この発明の駆動方法に使用する駆動ユニットの構成を示す回路ブロック図である。
【図３】階調駆動法の概要を示す説明図である。
【図４】この発明による駆動方法の駆動波形を示す説明図である。
【図５】ＡＬｉＳ方式のパネル構造を示す説明図である。
【図６】駆動時間とアドレス放電電圧との関係を示すグラフである。
【図７】従来のプラズマ表示装置の構成図である。
【符号の説明】
１  Ｙ側の走査用ドライバ
２  Ｙ側の共通ドライバ
３  Ｘ側の走査用ドライバ
４  Ｘ側の共通ドライバ
５  Ａ側ドライバ
６  制御回路
１０，２０  ＰＤＰ
１１  前面側の基板
１２  透明電極
１３  金属電極（バス電極）
１７  誘電体層
１８  保護膜
２１  背面側の基板
２２  下地層
２４  誘電体層
２８Ｒ，２８Ｇ，２８Ｂ  蛍光体層
２９  隔壁
３０  放電空間
Ａ  アドレス電極
Ｌ  表示ライン
Ｘ，Ｙ  サスティン電極
【図１】
0004482703.tif 000002
【図２】
0004482703.tif 000003
【図３】
0004482703.tif 000004
【図４】
0004482703.tif 000005
【図５】
0004482703.tif 000006
【図６】
0004482703.tif 000007
【図７】
0004482703.tif 000008